【事件の表示】
　特願２００６−１３５５５５「表示装置」拒絶査定不服審判事件〔平成１８年　８月３１日出願公開、特開２００６−２２７６４６〕について、次のとおり審決する。
【結　論】
　本件審判の請求は、成り立たない。
【理　由】
１．手続の経緯　
　本願は、平成７年２月２８日に特許出願された特願平７−４０５７０号（以下、「原出願」という。）の一部を分割して、新たな特許出願として平成１６年１月９日に出願した特願２００４−４０８１号のさらにその一部を分割して、新たな特許出願として平成１８年５月１５日に出願したものであって、拒絶理由に応答して平成１８年１０月１６日付けで手続補正がなされたが、平成１９年１月９日付けで拒絶査定がなされ、これに対し、平成１９年２月１５日に拒絶査定不服審判が請求されるとともに、平成１９年３月１６日付けで手続補正がなされ、平成２０年８月１８日付けの審尋が発送され、平成２０年１０月２０日付けで回答書が提出されたものである。
　
　
２．平成１９年３月１６日付けの手続補正についての補正却下の決定　
　
　［補正却下の決定の結論］　
　平成１９年３月１６日付けの手続補正（以下、「本件補正」という。）を却下する。　
　
　［理由］　
（１）本件補正後の本願補正発明　
　本件補正は、特許請求の範囲の記載を、
「【請求項１】
　光を照射する光源と、
　上記光源から照射される光の照度を設定する照度設定手段と、
　所定方式の画像信号に基づく画像を上記照度設定手段により設定された照度で表示する表示手段と、
　上記画像信号の振幅値を検出して上記画像信号の振幅値が無信号レベルに近い小さな所定レベル以下のときには、上記画像信号の振幅値のレベルに応じて上記画像信号の振幅値を増加させるよう制御すると共に、上記光源から照射される光の照度が上記画像信号の振幅値に応じて低下するように上記照度設定手段を制御する振幅値検出手段と
　を備えることを特徴とする表示装置。
　【請求項２】
　上記画像信号の無信号レベルが継続する継続時間をカウントする時間カウント手段をさらに備え、
　上記光源の照度は、上記時間カウント手段でカウントされた継続時間が所定時間以上のとき、低下するように設定されることを特徴とする請求項１に記載の表示装置。
　【請求項３】
　選局時または電源投入時において上記画像信号の過渡状態を検出する過渡信号検出手段をさらに備え、
　上記光源の照度は、上記過渡信号検出手段で過渡状態が検出された際に、低下するように設定されることを特徴とする請求項１に記載の表示装置。」　
から
「【請求項１】
　光を照射する光源と、
　上記光源から照射される光の照度を設定する照度設定手段と、
　所定方式の画像信号に基づく画像を上記照度設定手段により設定された照度で表示する表示手段と、
　上記画像信号の振幅値を検出して上記画像信号の振幅値が無信号レベルに近い小さな所定レベル以下のときには、上記画像信号の振幅値のレベルに応じて上記画像信号の振幅値を増加させるよう制御すると共に、上記光源から照射される光の照度が上記画像信号の振幅値に応じて低下するように上記照度設定手段を制御する振幅値検出手段と、
　選局時または電源投入時において上記画像信号の過渡状態を検出する過渡信号検出手段とを備え、
　上記過渡信号検出手段は、過渡状態を検出すると上記画像信号の振幅値を黒レベルに固定するとともに、上記光源の照度が低下するように制御することを特徴とする表示装置。
　【請求項２】
　上記画像信号の無信号レベルが継続する継続時間をカウントする時間カウント手段をさらに備え、
　上記光源の照度は、上記時間カウント手段でカウントされた継続時間が所定時間以上のとき、低下するように設定されることを特徴とする請求項１に記載の表示装置。」
に補正するものである。
　
　上記補正は、
（１）補正前の請求項３に、過渡信号検出手段が行う制御として「過渡状態を検出すると上記画像信号の振幅値を黒レベルに固定する」制御を更に追加し、新たな請求項１とする補正
（２）補正前の請求項２に、補正前の請求項３の発明特定事項、及び過渡信号検出手段が行う制御として「過渡状態を検出すると上記画像信号の振幅値を黒レベルに固定する」制御を更に追加する補正
（３）補正前の請求項１を削除する補正
であるから、上記（１）、（２）の補正は、平成６年法律第１１６号改正附則第６条によりなお従前の例によるとされる同法による改正前の特許法（以下、「平成６年改正前特許法」という。）第１７条の２第３項第２号の特許請求の範囲の減縮を目的とするものに該当し、上記（３）の補正は、平成６年改正前特許法第１７条の２第３項第１号の請求項の削除に該当する。
　
　そこで、本件補正後の請求項１に係る発明（以下「本願補正発明」という。）が特許出願の際独立して特許を受けることができるものであるか（平成１８年法律第５５号改正附則第３条第１項によりなお従前の例によるとされる同法による改正前の特許法（以下、「平成１８年改正前特許法」という。）第１７条の２第５項において準用する同法第１２６条第５項に適合するか）について以下に検討する。　
　
　（２）引用する刊行物に記載された発明等　
　刊行物１：特開平６−１０２４８４号公報
　刊行物２：実願平０４−９７４２号（実開平５−７１８８８号）のＣＤ−ＲＯＭ
　刊行物３：特開平３−５９５９８号公報
　刊行物４：特開平６−１３０９０６号公報
　
（２−１）刊行物１
　原査定の拒絶の理由に引用された刊行物１には、図面と共に、以下の事項が記載されている。
　
（Ａ）「【０００１】
【産業上の利用分野】本発明は、主に液晶パネルなどの空間光変調素子を用いて映像を表示する方法と装置に関する。」　
　
（Ｂ）「【０００６】
【発明が解決しようとする課題】空間光変調素子を用いた映像表示装置には、表示できる映像のダイナミックレンジが比較的小さいという問題がある。
【０００７】得られる最大の白レベルは、空間光変調素子の最大効率と照明光の明るさの積で決まる。ところが、空間光変調素子の最大効率は各素子の特性から決まるので、より明るくするには発光部としてより明るいものを用いなければならない。この場合、表示画面の全域を明るくする必要があり、一部の領域をより明るくする場合に比較して効率が低いため、発光部が大きくて消費電力の大きなものになる。
【０００８】更に、白レベルの輝度を上げるために発光部の明るさを明るくすればするほど黒の表示レベルも明るくなり、画像の品位が著しく低下する。
【０００９】つまり、表示できるダイナミックレンジは空間光変調素子のコントラストで制約される。例えば、アクティブマトリックス方式ツイストネマティック型液晶パネルの場合、高いものでも５００：１程度のコントラスト比であり、特に投写型表示装置に用いた場合などは十分な特性とは言えない。
【００１０】同時に、黒表示の品位や発光部の大きさとの兼ね合いから、あまりピーク輝度を明るくできないという問題がある。
【００１１】一方、例えば液晶パネルを用いた表示装置の場合、黒表示の均一性があまり高くないという問題がある。液晶パネルのギャップむら等による各画素の特性ばらつきによって表示むらが発生し、特に黒表示状態においてそのむらが顕著となる。その結果、暗い信号の占有領域が大きな映像を表示した場合、表示むらを発生してその品位を大きく低下させる。」
　　　
（Ｃ）「【００１２】
【課題を解決するための手段】上記問題点を解決するために本発明の映像表示方法は、光出力レベルを変化させることができる発光部と、前記発光部の出力光を変調する空間光変調部と、映像信号に応じて前記空間光変調部を駆動する駆動部と、前記駆動部に入力する映像信号を前置処理する映像信号処理部とを備え、前記映像信号処理部は所定期間における前記映像信号のピークレベルＶpを検出し、前記ピークレベルＶPが予め設定した基準ピークレベルＶ0より大きい場合、前記発光部は光出力レベルを大きくすると共に、前記映像信号処理部は前記映像信号の振幅を小さくして前記駆動部に入力し、前記ピークレベルＶPが前記基準ピークレベルＶ0より小さい場合、前記発光部は光出力レベルを小さくすると共に、前記映像信号処理部は前記映像信号の振幅を大きくして前記駆動部に入力する。
【００１３】また、前記映像信号処理部は、１フレーム期間毎に暗レベルの期間Ｓbを算出し、前記Ｓbの大きさが予め設定したしきい値Ｓ0より大きい場合、前記発光部は光出力レベルを小さくするようにする。
【００１４】
【作用】上記方法によれば、表示する映像信号のピークレベルを検出し、空間光変調素子を照明する光の明るさをそのピークレベルに比例して変化させるので、一表示画面内の最も明るい表示部に対して、空間光変調素子を最大効率で駆動することができる。その結果、常に空間光変調素子のダイナミックレンジを最大限活用して駆動することが可能となり、階調表示特性に優れた映像表示方法をを提供できる。合わせて、空間光変調素子を透過する照明光の効率が向上するので、より明るい表示画像を実現でき、極めて大きな効果を得ることができる。
【００１５】また、表示する映像信号の暗レベルの期間を算出し、暗い映像を表示する領域がある程度大きい場合には、発光部の光出力を低下させることにより、暗部の表示むらを目立ちにくくすることができる。」　
　　　
（Ｄ）「【００１６】
【実施例】以下、（図１）を参照しながら本発明の映像表示方法の第一の実施例を述べる。尚、本発明の映像表示方法は、（図９）及び（図１０）に示したような、空間光変調素子を用いた直視型及び投写型の表示装置に適用できる。
【００１７】表示装置に供給される映像信号の標準的なピークレベルを基準ピークレベルＶ0とする。例えばＮＴＳＣの様々な映像信号を考えた場合、１００ＩＲＥを上回るピークレベルを持った映像信号も頻繁に出現する。反対に、暗い映像であれば、ピークレベルは１００ＩＲＥを下回る。従って、この場合は基準ピークレベルＶ0として例えば１００ＩＲＥの信号レベルを選択できる。
【００１８】また、発光部には光出力を変化させることのできる光源を用いるとし、その基準となる光出力レベルをＬ0とする。具体的に、光出力レベルとは空間光変調素子を照明する光の明るさを表す。
【００１９】まず、外部から供給される映像信号Ｖinの一定周期毎に、ピークレベルＶpを検出する。一定周期とは一画面表示に相当する期間であり、ＴＶ信号であれば１フレーム期間に相当する。
【００２０】次に、検出されたピークレベルＶpからゲインＧs＝Ｖp／Ｖ0を算出する。ゲインＧsの可変範囲は予め設定しておき、最大ゲインＧmax、最小ゲインＧminを用いて表した場合に、Ｇmax以上またはＧmin以下のゲインが算出された場合には、これらをその値に制限する。
【００２１】ゲインＧsを算出した後に、映像信号レベルを、Ｖc＝Ｖin／Ｇsとして変調する。ただし、Ｖinは入力映像信号レベルである。変調された映像信号Ｖcは、適当な方式で駆動信号に変換されて空間光変調素子を駆動する。
【００２２】同時に、発光部の光出力レベルＬoutを、上記ゲインＧsを用いてＬout＝Ｇs×Ｌ0とする。ただし、発光部に用いる光源は、基準光出力レベルＬ0に対し、最小ゲインＧminから最大ゲインＧmaxの範囲内で光出力レベルＬoutを変化させることのできるものを用いる。
【００２３】従って、最大及び最小ゲインＧmax及びＧminは、例えば光源の光出力レベルの可変可能範囲から決めれば良い。また、光源の制約範囲内で、例えば観察者が違和感を認識するような急峻なゲインの変化を抑制するように設定すれば良い。
【００２４】以上の処理を一定周期ごとに繰り返すことで、従来より階調表示特性と黒表示特性に優れた明るい映像を表示できる。
【００２５】その理由を以下に補足説明する。（図２）に示すようなピークレベルの異なる３種類の映像信号パターンを考える。横軸の一周期Ｔ0は例えば１フレーム周期に対応し、Ｖ0は基準ピークレベルである。
【００２６】同図（ａ）に示した映像信号パターン１１のピークレベルをＶp1、同図（ｂ）に示した映像信号パターン１２のピークレベルをＶp2、同図（ｃ）に示した映像信号パターン１３のピークレベルをＶp3として表し、Ｖp1はＶ0より大きく、Ｖp2はＶ0と一致し、Ｖp3はＶ0より小さいとする。
【００２７】（図３）を用いて、各映像信号パターン１１、１２、１３が与えられた場合に空間光変調素子を駆動する方法を説明する。（図３）は、映像信号レベルＶcと空間光変調素子の透過率Ｔの相関を表し、（ａ）は従来方式の場合を、（ｂ）は本発明の映像表示方法を適用した場合を、それぞれ示している。（ａ）の従来方式の場合は、入力映像信号レベルＶinとＶcは一致する。いずれの場合も、映像信号レベルＶcmaxの時に最大透過率を、映像信号レベルＶcminの時に最小透過率を得るものとする。
【００２８】（ａ）の従来方式では、ピークレベルＶp1が入力映像信号の中で最大のピークレベルであるとして、ピークレベルＶp1を映像信号レベルＶcmaxに対応づける必要がある。従って、ピークレベルＶp2、Ｖp3は、Ｖcmaxより低い信号レベルに対応づけられる。例えば、Ｖp1より低いピークレベルをＶcmaxに対応づけた場合、Ｖp1のように高いピークレベルを持った信号が入力された場合に、白つぶれを生じるため問題がある。
【００２９】その結果、映像信号パターン１１、１２、１３に対応する表示は、Ｄ１、Ｄ２、Ｄ３で示される範囲をダイナミックレンジとして表示され、ピークレベルがＶp3のように低くなるほど、細かな階調特性を得ることが難しくなる。また、平均的な映像信号のピークレベルをＶp2として考えた場合に、最大透過率付近の特性があまり活用されず、表示画像の明るさの面でも効率が悪い駆動となる。
【００３０】（ｂ）の本発明の映像表示方法の場合、映像信号レベルＶcmaxと基準ピークレベルＶ0を対応づける。その結果、ピークレベルがＶP1、ＶP2、ＶP3のいずれであっても、ゲインＧsがこれを正規化し、各々のピークレベルをＶcmaxに対応づける。従って、一画面あたりの表示を考えた場合、ピークレベルに依らず常にＤ'で示すダイナミックレンジを活用して空間光変調素子を駆動できる。
【００３１】ところで、同時に発光部の光出力レベルＬoutを、ゲインＧsを用いてＬout＝Ｌ0×Ｇsとして変化させているので、それぞれのピークレベルに対応する明るさは信号レベルに正しく比例しており、画像は何ら問題なく表示される。
【００３２】以上の働きから、本発明の映像表示方法は、映像信号のピークレベルに依らず、空間光変調素子のダイナミックレンジを十分に活用する方法を提供し、ピークレベルの低い映像パターンであってもより細かな階調表示が可能となる。
【００３３】また、ピークレベルに対応する明るさを、常に空間光変調素子の最大透過率を利用して表示しているので、より明るい表示を実現する上で利点がある。つまり、同じ明るさを得る上では、光源の消費電力を低下させることができ、また、同一消費電力の光源で比較した場合には、より明るい表示を実現できる。」
　　　
（Ｅ）「【００３４】次に、（図４）を用いて、本発明の映像表示方法の第一の実施例を適用した表示装置の第一の実施例を述べる。これは、透過型の液晶パネルを用いた直視型表示装置の構成例を示す。
【００３５】ハロゲンランプ２１と集光反射鏡２２を組み合わせた発光部２３により液晶パネル２４を背面から照明する。駆動回路２５は、映像信号Ｖcに応じて液晶パネル２４上に光学像を形成し、空間的に照明光２７を変調して画像を表示する。
【００３６】ハロゲンランプ２１は、直流電源からなる点灯回路２８により点灯され、光出力制御回路２９は点灯回路２８の出力電圧を変化させて光出力レベルＬoutを変化できる。
【００３７】映像信号処理回路３０は、上述の映像表示方法に沿って機能する。ピークレベル検出回路３１が入力映像信号ＶinのピークレベルＶpを検出する。ゲイン算出回路３２がＶpからゲインＧsを算出する。振幅変調回路３３が、Ｇsを用いて映像信号Ｖinを変調し駆動回路２５に映像信号Ｖcを出力する。駆動回路２５が映像信号Ｖcに沿って液晶パネル２４を駆動する。
【００３８】ゲイン算出回路３２は、同時に光出力制御回路２９にもゲインＧsを出力する。光出力制御回路２９は、ゲインＧsに合わせて発光部２３の光出力レベルＬoutを変化させる。
【００３９】このように、上記映像信号処理回路が上述の映像表示方法に従って機能することで、（図４）に示す構成の表示装置は、ダイナミックレンジが広く、暗い部分の階調特性に優れた、明るい高画質映像を表示することができる。」
　　　
　上記記載事項（Ａ）〜（Ｅ）及び図示内容によれば、刊行物１に開示された表示装置は以下のものである。
（イ）【００３７】の「ピークレベル検出回路３１が入力映像信号ＶinのピークレベルＶpを検出する」との記載から、入力映像信号ＶinのピークレベルＶpを検出するピークレベル検出回路３１を備えている。
（ロ）【００３７】の「ゲイン算出回路３２がＶpからゲインＧsを算出する」との記載、【００１９】−【００２０】の「外部から供給される映像信号Ｖinの一定周期毎に、ピークレベルＶpを検出する。一定周期とは一画面表示に相当する期間であり、ＴＶ信号であれば１フレーム期間に相当する。・・・検出されたピークレベルＶpからゲインＧs＝Ｖp／Ｖ0を算出する」との記載、及び【００１７】の「表示装置に供給される映像信号の標準的なピークレベルを基準ピークレベルＶ0とする」との記載、並びに、【００１９】における「外部から供給される映像信号Ｖin」と【００３７】における「入力映像信号Ｖin」が同一の映像信号Ｖinであることは明らかであることから、入力映像信号ＶinのピークレベルＶpと基準ピークレベルＶ0とからゲインＧs＝Ｖp／Ｖ0を算出するゲイン算出回路を備えている。
（ハ）【００３５】には、「ハロゲンランプ２１と集光反射鏡２２を組み合わせた発光部２３により液晶パネル２４を背面から照明する」ことが記載されているから、「光を照射する発光部」を備えている。
（ニ）【００２２】の「発光部の光出力レベルＬoutを、上記ゲインＧsを用いてＬout＝Ｇs×Ｌ0とする。ただし、発光部に用いる光源は、基準光出力レベルＬ0に対し、最小ゲインＧminから最大ゲインＧmaxの範囲内で光出力レベルＬoutを変化させることのできるものを用いる」との記載、および、【００３６】の「ハロゲンランプ２１は、直流電源からなる点灯回路２８により点灯され、光出力制御回路２９は点灯回路２８の出力電圧を変化させて光出力レベルＬoutを変化できる」との記載から、ゲインＧｓと基準光出力レベルＬ0とから、発光部２３の光出力のレベルをＬout＝Ｇs×Ｌ0に設定する光出力制御回路２９を備えている。
（ホ）【００３７】の「振幅変調回路３３が、Ｇsを用いて映像信号Ｖinを変調し駆動回路２５に映像信号Ｖcを出力する」との記載、および【００２１】の「ゲインＧsを算出した後に、映像信号レベルを、Ｖc＝Ｖin／Ｇsとして変調する。ただし、Ｖinは入力映像信号レベルである。」との記載から、入力映像信号ＶinをゲインＧｓを用いて変調し、映像信号Ｖc＝Ｖin／Ｇsを出力する振幅変調回路３３を備えている。
（ヘ）【００３５】の「発光部２３により液晶パネル２４を背面から照明する。駆動回路２５は、映像信号Ｖcに応じて液晶パネル２４上に光学像を形成し、空間的に照明光２７を変調して画像を表示する。」との記載から、映像信号Ｖｃに基づく光学像で上記光出力制御回路２９により設定された光出力のレベルを有する照明光を変調して表示する液晶パネル２４を備えている。
（ト）【００１２】の「光出力レベルを変化させることができる発光部と、前記発光部の出力光を変調する空間光変調部と、映像信号に応じて前記空間光変調部を駆動する駆動部と、前記駆動部に入力する映像信号を前置処理する映像信号処理部とを備え、前記映像信号処理部は所定期間における前記映像信号のピークレベルＶpを検出し、・・・前記映像信号処理部は前記映像信号の振幅を小さくして前記駆動部に入力し、前記ピークレベルＶPが前記基準ピークレベルＶ0より小さい場合、前記発光部は光出力レベルを小さくすると共に、前記映像信号処理部は前記映像信号の振幅を大きくして前記駆動部に入力する。」との記載から、映像信号のピークレベルＶpを検出して前記ピークレベルＶPが前記基準ピークレベルＶ0より小さいときには、映像信号の振幅を大きくすると共に、発光部は光出力レベルを小さくするように動作する表示装置である。
　
　してみると、刊行物１には、以下の発明が開示されている。
「光を照射する発光部２３と、
　上記発光部２３から照射される光出力のレベルＬoutを設定する光出力制御回路２９と、
　映像信号Ｖinに基づく映像信号Ｖｃの光学像を上記光出力制御回路２９により設定された光出力レベルの照明光を変調して表示する液晶パネル２４と、
　入力映像信号ＶinのピークレベルＶpを検出するピークレベル検出回路３１と、
　入力映像信号ＶinのピークレベルＶpと基準ピークレベルＶ0とからゲインＧs＝Ｖp／Ｖ0を算出するゲイン算出回路３２と、
　入力映像信号ＶinをゲインＧｓを用いて変調し、映像信号Ｖc＝Ｖin／Ｇsを出力する振幅変調回路３３と、
　上記光出力制御回路２９は、ゲインＧｓと基準光出力レベルＬ0とから、発光部２３の光出力のレベルをＬout＝Ｇs×Ｌ0に設定する表示装置であって、
　映像信号のピークレベルＶpを検出して前記ピークレベルＶPが前記基準ピークレベルＶ0より小さいときには、映像信号の振幅を大きくすると共に、発光部２３の光出力レベルを小さくする表示装置。」（以下、「引用発明」という。）
　
（２−２）刊行物２
　原査定の拒絶の理由に引用された刊行物２には、図面と共に、以下の事項が記載されている。
　
（Ｆ）「【０００５】
　【考案が解決しようとする課題】
　しかしながら、従来の映像表示装置はバックライト２４がオフからオンに切り換わる時すなわちバックライト制御信号３１が低レベルから高レベルへ立ち上がる瞬間であって、且つそれと同時にディスプレイ１１に表示されている映像が切り換わる時すなわち表示選択信号３０が現在のレベルとは反対のレベルへ切り換わる瞬間が重なった場合に、一瞬先の映像が表示され、その後、本来選択された映像に切り換わるという不都合があった。
【０００６】
　上述のことを図７の従来映像表示装置の動作タイミング図で説明する。図の（ａ）に示す映像表示装置１０が電源オンした時、すなわち初期設定時には例えば初期映像としてテレビジョン映像（映像１）が選択され（図の（ｃ））、バックライト２４はオフとなる（図の（ｄ））。この段階でディスプレイ１１にはなにも表示されていない。次に前記地図スイッチ１４を押下することによって前記初期映像とは異なるコンピュータ映像（映像２）が選択された場合（図の（ｂ））、表示選択信号３０は低レベルから高レベルへ切り換わりそれと同時にバックライト制御信号３１が低レベルから高レベルへ切り換わってバックライト２４をオンさせる。
【０００７】
　この時、バックライト２４はバックライト制御信号３１によって即点灯するが、ディスプレイ１１の表示内容は前記初期映像によるテレビジョン映像から１フレーム時間分（約３３ｍｓ）経過しなければ前記選択されたコンピュータ映像に切り換わらない。従って、この間一瞬前記テレビジョン映像が表示されてしまうという問題があった（図の（ｅ）の左側の残像）。同様のことが、ディスプレイ１１に映像を表示している最中に前記画面消スイッチ１５を押下し（図の（ｄ）右側のバックライトオフに相当）画面表示を消した後に別の表示映像へ切り換える場合（図の（ｂ）の右側立ち上がり信号に相当）にも発生していた（図の（ｅ）の右側の残像）。・・・。
【０００８】
　そこで本考案は上記問題点に鑑み、前述した映像表示の切り換えとバックライト２４のオフからオンへの切り換えが同時に発生する場合に、前記表示切り換え信号３０によってディスプレイ１１の映像表示内容が新たな表示内容に切り換わるまでの時間、すなわち１又は２フレーム時間若しくは人がその表示遅延を不快と感じない程度の時間まで前記バックライト制御信号をオフとし、その時間が経過した後に前記バックライト制御信号をオンすることによって、前述した一瞬先の映像が見えてしまうことを防止した映像表示装置を提供することを目的とする。」
　
（Ｇ）「【００１２】
　次に、本考案により従来例（図６）に新たに負荷された遅延回路３２を図４の本考案による映像表示装置の動作タイミング図を参照して説明する。
　図２の遅延回路３２は、前述したマイクロコンピュータ２５からのバックライト制御信号３１が入力され、その入力信号をディスプレイ１１が前記表示選択信号３０によって新たな映像表示への切り換わるまでの所定時間遅延させて出力するものである。遅延回路３２には通常の簡易なＣＲ回路等からなる簡易なタイマー回路を使用することが可能で、前記マイクロコンピュータ２５からのバックライト制御信号３１のオン信号全体を所定時間遅延させるもの（図４の（ｄ））や前記バックライト制御信号３１の立ち上がりエッジ部分（オン起動時）のみを所定時間遅延させ立ち下がりエッジ（起動停止時）は遅延させないもの等が使用される。いずれにおいても必要なのはマイクロコンピュータ２５からのバックライト信号３１の前縁が前記所定時間遅延された新たなバックライト制御信号３３を出力することであり、その新たなバックライット制御信号３３を使ってバックライト２４をオン／オフ制御することである。これによって図４の（ｄ）に示すように表示映像の切り換わり時とバックライト２４のオフからオンへの切り換わり時が重なった時にも、従来問題となっていた先の映像の発生が防止される。」
　
（２−３）刊行物３
　原出願の出願前に日本国内において頒布された刊行物３には、図面とともに以下の事項が記載されている。
　
（Ｈ）「〔産業上の利用分野〕
本発明は、液晶表示装置に係り、特にマシン立ち上げ時に、液晶画面のみだれを防ぎ、かつ信号１個で画面のオン、オフが出来る液晶表示装置に関する。
〔従来の技術〕
液晶コントローラドライバが、ハードウェア的に液晶表示装置の全画面を非点灯に出来る様に構成されていない場合、すなわちＤＩＳＰＬＡＹ　ＯＦＦ端子を持たない場合には、表示用データの書き換えで行う他はなかった（「日経エレクトロニクス」１９８０年８月１８日号第１５０〜１７４頁）。
又マシン立ち上げ時、液晶表示装置の画面の乱れを防ぐためには、ハードウェア的に、液晶層への印加電圧の投入を遅らせる等の操作が必要であった。」（１頁左下欄最下行〜同頁右下欄１５行）
　
（Ｉ）「〔実施例〕
　以下、本発明の一実施例を第１図により説明する。
　図中１は反転回路、２，４は論理和回路、３は排他的論理和回路、５はセグメント電極用表示信号入力端子、６は交流化信号Ｍ入力端子、７はファーストラインマーカー（ＦＬＭ）信号入力端子である。
　表示信号入力端子５へは、表示内容に対応してセグメント電極へ印加されるべき信号が入力され、交流化信号Ｍは、液晶層へ交流駆動電圧が印加される様その駆動波形の極性を反転させる信号である。又ＦＬＭ信号は走査信号の基準となる信号である。
　１１は表示の全画像点を非点灯に制御する信号のための全点非点灯入力端子である。
全点非点灯入力端子１１に”０”が入るとセグメント側データ出力信号は、”１”が出力され、コモン側データ信号（ＦＬＭ）出力端子８にも、”１”が出力される。この時、液晶交流化信号Ｍを、セグメント側あるいはコモン側のどちらか一方で反転させることにより出力電圧は、同一レベルのものになり、液晶表示装置は全画面非点灯となる。又、全点非点灯入力端子１１に”１”が入ると、セグメント側出力端子、コモン側出力端子ともに通常の信号が出力される。
　従って、第１図の回路の出力端子１５を、従来のセグメント電極信号入力端子へ、新規交流化信号出力端子１６をセグメント駆動側の従来の交流化信号入力端子へ、新規ＦＬＭ出力端子８を従来のコモン電極側ＦＬＭ入力端子へ接続し、コモン側交流化信号端子９に従来通り交流化信号Ｍを入力すれば良い。」（２頁右上欄１８行〜同頁右下欄１０行）　
　
（２−４）刊行物４
　原出願の出願前に日本国内において頒布された刊行物４には、図面とともに以下の事項が記載されている。
（Ｊ）「【０００８】
【課題を解決するための手段】本発明の表示制御装置は、演算処理情報を表示する表示部と、前記表示装置を使用した所定の表示モードから、この表示モードと異なる別の表示モードに切り換えられる際のモード切り換え処理の開始を検出するモード切り換え検出部と、このモード切り換え検出部がモード切り換え処理の開始を検出したときから、前記モード切り換え処理中における前記表示装置の表示画像の乱れが発生する時間を越える所定の表示抑制時間を経過するまでの間、表示抑制信号を出力する計時部と、前記表示抑制信号の出力されている間、前記表示部への演算処理情報の表示を強制的に停止する表示抑制処理部とを備えたことを特徴とするものである。
【０００９】
【作用】この装置は、モード切り換え処理中に表示画像の乱れが発生すると、その間、表示部への画像の表示を強制的に停止する。このために、モード切り換え検出部が同期信号の乱れ等を監視し、モード切り換え処理の開始を検出する。計時部は予め定められた表示抑制時間を計時し、表示の抑制はバックライトのオフや表示画面の色の固定等により行う。」
　　　
（３）対比　
　本願補正発明と引用発明とを対比する。
　引用発明における「発光部」「光出力のレベルＬout」「光出力制御回路２９」「映像信号」は、それぞれ本願補正発明の「光源」「光の照度」「照度設定手段」「画像信号」に相当する。引用発明における「映像信号Ｖｃに基づく光学像を上記光出力制御回路２９により照明光を変調して表示する液晶パネル２４」は、本願発明における「画像信号に基づく画像を上記照度設定手段により設定された照度で表示する表示手段」に相当し、引用発明における「ピークレベル」は、１フレーム期間における映像信号の最大振幅値であり、映像信号の振幅値であることに相違ないから本願発補正明の「振幅値」に相当する。
　また、入力映像信号ＶinのピークレベルＶpが基準ピークレベルＶ0より小さい時は、ゲインＧs＝Ｖp／Ｖ0が０より大きく１より小さな値となるから、振幅変調回路３３の出力である映像信号Ｖc＝Ｖin／Ｇsは入力映像信号Ｖinの振幅値を増加させるとともに、発光部２３の光出力レベルＬout＝Ｇs×Ｌ0は低下し、振幅値の増加又は光出力レベルの低下は入力映像信号ＶinのピークレベルＶpに応じて決まる。
　更に、引用発明の「ピークレベル検出回路３１」、「ゲイン算出回路３２」、「振幅変調回路３３」は、協働して入力映像信号ＶinのピークレベルＶpに応じて入力映像信号Ｖinの振幅値を増加させるとともに発光部２３の光出力のレベルが低下するよう制御していることから、本願補正発明の「振幅値検出手段」に相当する。
　
　してみると、本願補正発明と引用発明とは、
「光を照射する光源と、
　上記光源から照射される光の照度を設定する照度設定手段と、
　画像信号に基づく画像を上記照度設定手段により設定された照度で表示する表示手段と、
　上記画像信号の振幅値を検出して上記画像信号の振幅値が所定レベル以下のときには、上記画像信号の振幅値のレベルに応じて上記画像信号の振幅値を増加させるよう制御すると共に、上記光源から照射される光の照度が上記画像信号の振幅値に応じて低下するように上記照度設定手段を制御する振幅値検出手段と、
　を備える表示装置。」
の点で一致し、以下の点で相違している。　
　
　［相違点］　
（イ）画像信号が、本願補正発明では「所定方式の画像信号」であるのに対し、引用発明では、方式について不明である点。
（ロ）　振幅値検出手段が画像信号の振幅値のレベルに応じて上記画像信号の振幅値を増加させるよう制御すると共に、上記光源から照射される光の照度が上記画像信号の振幅値に応じて低下するように上記照度設定手段を制御する際の画像信号の振幅値と比較する値が、本願補正発明では「無信号レベルに近い小さな所定レベル」であるのに対し、引用発明では、「基準ピークレベル」であって無信号レベルに近い小さなレベルか否か不明である点。
（ハ）　本願補正発明では、「選局時または電源投入時において画像信号の過渡状態を検出する過渡信号検出手段」を備え、「上記過渡信号検出手段は、過渡状態を検出すると上記画像信号の振幅値を黒レベルに固定するとともに、光源の照度が低下するように制御する」のに対し、引用発明は過渡信号検出手段を備えておらず、過渡状態を検出すると画像信号の振幅値を黒レベルに固定する制御と光源の照度が低下するようにする制御を行っていない点。
　
　（４）判断　
　以下、上記相違点について検討する。
（イ）表示装置で表示する画像信号として、汎用の表示装置で表示できるよう何らかの方式に基く信号を用いることは周知技術である。したがって、画像信号として所定方式の画像信号を採用することに困難性はない。
　
（ロ）本願補正発明と引用発明は、何れも画像信号の振幅値が小さい時の制御として、画像信号の振幅を大きくするとともに光源からの照射光の照度を小さくする制御を行っており、画像信号がどの程度の振幅値まで小さくなった時に該制御を行うかは、所望する画像・画質等に応じて当業者が適宜設定する事項であって、「無信号レベルに近い小さな所定レベル」以下のときに上記制御を行うよう為すことは設計的事項に過ぎない。
　
（ハ）本願の明細書【００１２】には、無信号レベルが所定時間以上継続した場合の制御に関し、「
光源の照度を低下するように設定する
光源の印加電力を必要とせず
安定に黒レベル等の出画が可能である」（下線は、当審で付加した。）との記載があり、「光源の照度を低下するように設定する」ことには、印加電力を必要としない態様、即ち、光源への電力の供給を停止して光源の照度を零とすることが含まれている。そして、本願補正発明における「光源の照度が低下するように制御する」との発明特定事項は、上記無信号レベルが所定時間以上継続した場合の制御と同様の表現を用いてなされていることから、光源への電力の供給を停止して光源の照度を零とする制御を含むものである。（応対記録に添付された平成２０年１２月４日に受信したファクシミリには、請求項１には光源の照度を０（零）とする制御を含まれるのかとの質問に対し、請求人は「光源の照度を低下させる制御には、電力の供給を停止させる制御も含み、光源の照度を０とする制御も含まれるものと思料します。」と回答しており、同旨である。）
　ところで、表示装置の技術分野において、画像の切り替え時や電源の投入時等に発生する乱れた画像を表示しないようにするという技術的課題は、原出願の出願前に周知の技術的課題であり、また、該周知の技術的課題を解決する目的で採用する、画像信号の過渡状態を検出する手段を備えて画像信号の振幅値を黒レベルに固定する技術手段、或いはバックライトをオフとして表示を抑制する技術手段も何れも周知である（例えば、上記刊行物２には、映像表示内容が新たな表示内容に切り換わるまでの時間、若しくは人がその表示遅延を不快と感じない程度の時間まで前記バックライト制御信号をオフする技術が開示されており、遅延回路３２が本願補正発明の「過渡信号検出手段」に相当する。刊行物３には、従来の技術として、起動時の液晶画面の乱れを防ぐ目的で、全画面を非点灯にするよう表示用のデータを書き換えること、即ち、画像信号の振幅値を黒レベルに固定する技術が、また、実施例としてセグメント側出力端子とコモン側出力端子に同一レベルの出力電圧を出力して非点灯に制御する技術（黒レベルに固定する技術）が開示されており、明記はされていないが、全点非点灯入力端子に入力する信号を作成する手段が本願補正発明の「過渡信号検出手段」に相当する。更に刊行物４には、モード切り換え検出部が同期信号の乱れ等を監視し、モード切り換え処理の開始を検出すると、計時部は予め定められた表示抑制時間を計時し、表示の抑制はバックライトのオフや表示画面の色の固定等を行っている（モード切替検出部と計時部が本願補正発明の「過渡信号検出手段」に相当する。）。
　また、表示を抑制する手段として、画像信号の振幅値を黒レベルに固定する手段、光源の照度を低下させる手段の両者を採用することも当業者が適宜為し得ることであるから、選局時や電源の投入時等に発生する乱れた画像を表示しないようにするという周知の技術的課題を解決する目的で、画像の乱れの原因となる画像信号の過渡状態を検出する過渡信号検出手段を備え、画像信号の振幅値を黒レベルに固定するとともに、光源の照度が低下するよう抑制するという周知の技術手段を採用することも当業者が容易に想到し得たことである。
　審判請求人は、平成２０年１０月２０日付け回答書で光源の照度が低下するように制御することで消費電力が削減できる旨主張する。しかしながら、該作用効果は、引用発明で発光部の光出力レベルを小さくした際、或いは周知技術を記載した刊行物２，４でバックライトをオフした際に奏している作用効果であって格別の作用効果とは認められなく、該主張は採用できない。
　したがって、上記相違点（イ）〜（ハ）は何れも格別なものとは認められなく、本願補正発明は、引用発明と周知技術とに基いて容易に発明をすることができたものと認める。
　
（６）むすび　
　以上のとおり、本願補正発明は、特許法第２９条第２項の規定により、特許出願の際独立して特許を受けることができないものであるから、本件補正は、平成１８年改正前特許法第１７条の２第５項において準用する同法１２６条第５項の規定に違反するので、同法第１５９条第１項の規定において読み替えて準用する同法第５３条第１項の規定により却下すべきものである。　　
　
３．本願発明について　
　平成１９年３月１６日付けの手続補正書による補正は上記のとおり却下されたので、本願の請求項１〜３に係る発明は、平成１８年１０月１６日付け手続補正書により補正された請求項１〜３に記載されたとおりのものであるところ、請求項１に係る発明（以下、「本願発明」という。）は、以下のとおりのものである。　
　
　「【請求項１】
　光を照射する光源と、
　上記光源から照射される光の照度を設定する照度設定手段と、
　所定方式の画像信号に基づく画像を上記照度設定手段により設定された照度で表示する表示手段と、
　上記画像信号の振幅値を検出して上記画像信号の振幅値が無信号レベルに近い小さな所定レベル以下のときには、上記画像信号の振幅値のレベルに応じて上記画像信号の振幅値を増加させるよう制御すると共に、上記光源から照射される光の照度が上記画像信号の振幅値に応じて低下するように上記照度設定手段を制御する振幅値検出手段と
　を備えることを特徴とする表示装置。」　　
　
（１）引用する刊行物に記載された発明等　
　原査定の拒絶の理由に引用された刊行物及びその記載事項等は、前記「２．（２）」に記載したとおりである。　
　
（２）対比・判断　
　本願発明は、前記「２．」で検討した本願補正発明から、発明を特定するために必要な事項である「選局時または電源投入時において上記画像信号の過渡状態を検出する過渡信号検出手段」および、過渡信号検出手段の制御態様である「上記過渡信号検出手段は、過渡状態を検出すると上記画像信号の振幅値を黒レベルに固定するとともに、上記光源の照度が低下するように制御する」との限定を省いたものである。　
　そこで、本願発明と引用発明とを対比すると、上記相違点（イ）（ロ）の点で相違し、その余に格別の相違点は認められない。そして、該相違点（イ）（ロ）は、上記２．（４）で検討したとおり引用発明と周知技術とに基いて当業者が容易に発明をすることができたものであるから、本願発明も同様の理由により、引用発明と周知技術とに基いて当業者が容易に発明をすることができたものである。　
　
（３）むすび　
　以上のとおり、本願の請求項１に係る発明は、特許法第２９条第２項の規定により特許を受けることができないものである。
　したがって、その余の請求項について検討するまでもなく、本願は拒絶すべきものである。
　
　よって、結論のとおり審決する。